(57)【要約】【課題】設置スペースを小さくすることができ、また、優れた走行性能及びエネルギ効率を確保することができるエレベータ装置の巻上機の提供。【解決手段】本発明に係るエレベータ装置の巻上機１２ａは、乗かご２と、釣合いおもり３と、これらの乗かご２と釣合いおもり３を連結する主索４とを有するエレベータ装置に備えられ、主索４が巻回されるシーブ１３ａと、このシーブ１３ａを回転駆動するギヤレスモータ１５ａと、このギヤレスモータ１５ａの駆動力をシーブ１３ａに伝えるモータ軸兼用シーブ軸１４ａと、ギヤレスモータ１５ａを制動するダブルブレーキ１６ａとを備えた構成にしてある。【選択図】図２
2016003084.tif 000002
【特許請求の範囲】
【請求項１】
乗かごと、釣合いおもりと、これらの乗かごと釣合いおもりを連結する主索とを有するエレベータ装置に備えられ、前記主索を移動させるエレベータ装置の巻上機において、
前記主索が巻回されるシーブと、このシーブを駆動するギヤレスモータと、このギヤレスモータの駆動力をシーブに伝えるモータ軸兼用シーブ軸と、前記ギヤレスモータを制動するダブルブレーキとを備えたことを特徴とするエレベータ装置の巻上機。
【請求項２】
請求項１に記載のエレベータ装置の巻上機において、
前記モータ軸兼用シーブ軸にフライホールを取り付けたことを特徴とするエレベータ装置の巻上機。
【請求項３】
既設のギヤ減速方式のエレベータ装置の巻上機から、請求項１に記載のエレベータ装置の巻上機にリニューアルする巻上機のリニューアル方法において、
前記既設のギヤ減速方式のエレベータ装置の巻上機から、モータ、ブレーキ、ギヤ、シーブ、及びシーブ軸を取り外し、この状態の前記既設のギヤ減速方式のエレベータ装置の巻上機に、請求項１に記載のエレベータ装置の巻上機に備えられる前記シーブ、前記ギヤレスモータ、前記モータ軸兼用シーブ軸、及び前記ダブルブレーキを取り付けるようにして、巻上機をリニューアルすることを特徴とする巻上機のリニューアル方法。
【発明の詳細な説明】
【技術分野】
【０００１】
本発明は、主索が巻回されるシーブ、及びシーブを回転駆動するモータを有するエレベータ装置の巻上機、及び既設の巻上機を新設の巻上機にリニューアルする巻上機のリニューアル方法に関する。
【背景技術】
【０００２】
特許文献１には、エレベータ装置を新規にリニューアル（改修）工事する場合に、既設の巻上機をそのまま利用することで、重量物の交換作業を不要とし、リニューアル工事でのエレベータ装置の停止時間の短縮化を図ることが開示されている。前述した制御リニューアルとは、エレベータ装置の機械室内に設置された既設の巻上機を新たな制御方式に対応させるべくリニューアルする場合を想定している。
【先行技術文献】
【特許文献】
【０００３】
【特許文献１】特開２００４−１２３２７４号公報
【発明の概要】
【発明が解決しようとする課題】
【０００４】
前述した特許文献１に開示された従来技術では、既設の巻上機をそのまま使用した上で、新たな動力源となるマシンを連結するため、適用にあたり、追加マシンを設置するための大きなスペースが必要になり、建物の機械室の大きさによっては適用が困難となる虞がある。
【０００５】
また、既設の減速機や、新設する連結機構により、走行性能及びエネルギ効率の改善が阻害され、信頼性の確保のための保全費用が高くなる問題もある。
【０００６】
本発明は、前述した従来技術における実情からなされたもので、その目的は、設置スペースを小さくすることができ、また、優れた走行性能及びエネルギ効率を確保することができるエレベータ装置の巻上機、及び巻上機のリニューアル方法を提供することにある。
【課題を解決するための手段】
【０００７】
前記目的を達成するために、本発明に係るエレベータ装置の巻上機は、乗かごと、釣合いおもりと、これらの乗かごと釣合いおもりを連結する主索とを有するエレベータ装置に備えられ、前記主索を移動させるエレベータ装置の巻上機において、前記主索が巻回されるシーブと、このシーブを駆動するギヤレスモータと、このギヤレスモータの駆動力をシーブに伝えるモータ軸兼用シーブ軸と、前記ギヤレスモータを制動するダブルブレーキとを備えたことを特徴としている。
【０００８】
また、前記目的を達成するために、本発明に係る巻上機のリニューアル方法は、既設のギヤ減速方式のエレベータ装置の巻上機から、前述した発明に係るエレベータ装置の巻上機にリニューアルする巻上機のリニューアル方法において、前記既設のギヤ減速方式のエレベータ装置の巻上機から、モータ、ブレーキ、ギヤ、シーブ、及びシーブ軸を取り外し、この状態の前記既設のギヤ減速方式のエレベータ装置の巻上機に、請求項１に記載のエレベータ装置の巻上機に備えられる前記シーブ、前記ギヤレスモータ、前記モータ軸兼用シーブ軸、及び前記ダブルブレーキを取り付けるようにして、巻上機をリニューアルすることを特徴としている。
【発明の効果】
【０００９】
本発明に係るエレベータ装置の巻上機、及び巻上機のリニューアル方法は、既設の巻上機の部品を最大限に活用したことから、設置スペースを小さくすることができ、機械室に当該巻上機を設置する際の制約を従来に比べて緩和させることができる。
【００１０】
また、ギヤレスモータの駆動力をモータ軸兼用シーブ軸を介してシーブに直接伝えるので、優れた走行性能及びエネルギ効率を確保することができる。したがって、高い信頼性を得ることができ、従来に比べて保全に要する費用を低減させることができる。
【図面の簡単な説明】
【００１１】
【図１】本発明に係る巻上機の一実施形態が備えられたエレベータ装置の要部を示す側面図である。
【図２】本実施形態に係る巻上機が配置された機械室の平面拡大図である。
【図３】リニューアル前の既設の巻上機が備えられたエレベータ装置を示す側面図である。
【図４】既設の巻上機が配置された機械室の平面拡大図である。
【発明を実施するための形態】
【００１２】
以下、本発明に係るエレベータ装置の巻上機、及び巻上機のリニューアル方法の実施の形態を図面に基づいて説明する。
【００１３】
はじめに、リニューアル前の既設の巻上機、及びこの既設の巻上機が備えられたエレベータ装置について、図３，４に基づいて説明する。
【００１４】
図３に示すように、エレベータ装置は、例えば昇降路１の上方に設けられた機械室１１に、モータ１５及びシーブ１３を有する既設の巻上機１２を配置してある。昇降路１内に配置された乗かご２と釣合いおもり３は主索４で連結され、この主索４はシーブ１３に巻回されている。シーブ１３を回転させて主索４をつるべ式に動作させることにより、転向プーリ１７を介して乗かご２と釣合いおもり３が昇降する。
【００１５】
機械室１１の床面１１ａには、マシンビーム１８が載置され、このマシンビーム１８上に防振ゴム２１を介してビームつなぎ２０が配置され、このビームつなぎ２０の上にサブビーム１９が配置されている。このサブビーム１９上に既設の巻上機１２が設置されている。
【００１６】
既設の巻上機１２は、ギヤ減速方式のものであり、前述したモータ１５、及びシーブ１３の他、モータ１５の駆動力を伝達する図示しないギヤ、すなわち減速機、モータ１５を制御するブレーキ１６、及びシーブ１３が連結されるシーブ軸１４等を備えている。
【００１７】
図１，２に示すように、前述した既設の巻上機１２に対し、本実施形態に係るエレベータ装置の巻上機１２ａは、ギヤレス駆動方式のものであり、主索４が巻回されるシーブ１３ａの他、このシーブ１３ａを駆動するギヤレスモータ１５ａ、このギヤレスモータ１５ａの駆動力をシーブ１３ａに伝えるモータ軸兼用シーブ軸１４ａ、及びギヤレスモータ１５ａを制動するダブルブレーキ１６ａを備えている。
【００１８】
前述した図３，４に示すギヤ減速方式の既設の巻上機１２を、図１，２に示す新設の巻上機１２ａにリニューアルするに際しては、図３，４に示す既設の巻上機１２から、モータ１５、ブレーキ１６、図示しないギヤすなわち減速機、シーブ１３、及びシーブ軸１４を取り外す。このように各部品を取り外した残りの部品に対し、モータ軸兼用シーブ軸１４ａ、ギヤレスモータ１５ａ、ダブルブレーキ１６ａ、及びシーブ１３ａを取り付ける。これにより、図１，２に示す巻上機１２ａにリニューアルすることができる。
【００１９】
前述のように構成した本実施形態に係るエレベータ装置の巻上機、及び巻上機のリニューアル方法によれば、既設の巻上機１２からモータ１５、ブレーキ１６、シーブ１３、及びシーブ軸１４を取り外した残りの部品に対し、新たなシーブ１３ａ、ギヤレスモータ１５ａ、モータ軸兼用シーブ軸１４ａ、及びダブルブレーキ１６ａを取り付けるようにしたことから、すなわち、既設の巻上機１２の部品を最大限活用したことから、設置スペースを小さくすることができ、機械室１１に巻上機１２ａを設置する際の制約を緩和させることができる。
【００２０】
また、ギヤレスモータ１５ａの駆動力をモータ軸兼用シーブ軸１４ａを介してシーブ１３ａに直接伝えるので、優れた走行性能及びエネルギ効率を確保することができる。したがって、高い信頼性を得ることができ、保全に要する費用を低減させることができる。
【００２１】
なお、前述した本実施形態に係るエレベータ装置の巻上機の構成に加えて、モータ軸兼用シーブ軸１４ａにフライホイールを取り付けた構成にしてもよい。このように構成したものでは、戸開中に仮に乗かご２が異常走行しようとする事態を生じたときには、フライホイールによって乗かごの移動距離を抑制することができ、安全性の確保に貢献する。
【符号の説明】
【００２２】
２    乗かご
３    釣合いおもり
４    主索
１１  機械室
１２    既設の巻上機
１２ａ  巻上機
１３    シーブ
１３ａ  シーブ
１４    シーブ軸
１４ａ  モータ軸兼用シーブ軸
１５    モータ
１５ａ  ギヤレスモータ
１６    ブレーキ
１６ａ  ダブルブレーキ
【図１】
2016003084.tif 000003
【図２】
2016003084.tif 000004
【図３】
2016003084.tif 000005
【図４】
2016003084.tif 000006